(57)【要約】【課題】外字を含む印刷データの作成、印刷を行う際に、外字ファイルが変更されたことを検出した場合にはオペレータに警告を発したり、外字ファイルの指定を変更前の指定に復帰させたり、印刷を停止したりする印刷方法を提供する。【解決手段】印刷の際、外字ファイルの指定（Ｓ１１１）があり、外字リンクのチェック（Ｓ１１２）を行う設定の場合はステップ１１３に移行する。そして、外字ファイルの設定が変更された場合（Ｓ１１３）は、エラーと判断されステップ１１４に移行する。ステップ１１４において、外字ファイル設定画面（図３）でのエラー時の処理の選択５５に基づいて、エラーメッセージ表示（オペレータへの警告（Ｓ１１５））、印刷停止（Ｓ１１６）、あるいは印刷継続（Ｓ１１７）の処理が行われる。【選択図】図７
2009245093.tif 000002
【特許請求の範囲】
【請求項１】
外字データを指定し、該指定された外字データで定義された外字を含む印刷データを作成し、該印刷データを印刷装置で印刷する印刷方法であって、前記印刷データの前記印刷装置による印刷中、所定のタイミングで前記外字データの指定の変更を監視し、変更が検出された場合に、前記印刷装置による印刷を停止することを特徴とする印刷方法。
【請求項２】
外字データを指定し、該指定された外字データで定義された外字を含む印刷データを作成し、該印刷データを印刷装置で印刷する印刷方法であって、前記印刷データの作成中及び／又は前記印刷装置による印刷中、所定のタイミングで前記外字データの指定の変更を監視し、変更が検出された場合にオペレータに警告を発する、及び／又は、該変更された外字データの指定を変更前の指定に復帰させたうえで、前記印刷データの作成及び／又は前記印刷装置による印刷を継続させることを特徴とする印刷方法。
【請求項３】
前記外字データが、前記印刷データを作成するアプリケーションソフトウェア毎に指定されるものであることを特徴とする請求項１又は２に記載の印刷方法。
【請求項４】
前記印刷データを作成するアプリケーションソフトウェアが外部データの読み込み又は参照可能なものであり、読み込み又は参照した外部データを用いて印刷データを作成可能なものであることを特徴とする請求項３に記載の印刷方法。
【請求項５】
前記外字データが、前記外部データ毎に指定されるものであり、かつ、前記外部データの読み込み又は参照に応じ、自動的に、前記外字データが指定されることを特徴とする請求項４に記載の印刷方法。
【請求項６】
前記外字データの指定の変更の監視が、ページ毎に行われることを特徴とする請求項１乃至５のいずれかに記載の印刷方法。
【請求項７】
前記外字データ指定の変更の監視が、文字毎に行われることを特徴とする請求項１乃至５のいずれかに記載の印刷方法。
【発明の詳細な説明】
【技術分野】
【０００１】
本発明は、外字を含む印刷データを作成し、印刷する印刷方法に関する発明である。
【背景技術】
【０００２】
近年、携帯電話やクレジットカードが普及しており、これらの利用代金の請求はハガキや封書を郵送することにより利用者に通知されることが多い。また、ハガキや封書およびその中身である利用明細書等には必ず利用者の住所・名前等の個人情報や請求金額等の情報が印刷されている。これらの請求書の印刷は携帯電話会社やクレジットカード会社自身で行うことは稀で、ほとんどの場合印刷会社に外注している。
【０００３】
印刷会社は住所や名前、請求金額等の印刷を行い、封入封緘してから発送手続きまで行っているところが多い。住所などの変動データの印刷に関しては、パーソナルコンピュータやワークステーション上で動作するアプリケーションソフトウエアを使って印刷データの作成・編集を行った後、印刷データを出力して電子写真プリンタやインクジェットプリンタで印刷を行っている。
【０００４】
ここで、住所や名前を印刷するとき、全て平仮名や片仮名で印刷することもあるが、一般的には可読性を考慮して漢字が用いられる。漢字を用いる場合、特に人名においてはパーソナルコンピュータやワークステーションなどに標準でインストールされているフォントでは表現できない特殊な文字（略字や俗字であったり、撥ねや払い、或いは点の位置が異なったりする文字）を印刷する場合にはあらかじめ外字として登録しておく必要がある。一般的に外字は、フォントの外字領域に保存されており、日本工業規格のＪＩＳ  Ｘ  ０２２１（所謂ユニコード）で規定される私用領域（１６進コードでは０ｘＥ０００〜０ｘＦ８ＦＦの領域）などがこの領域にあたる。ユーザはこの使用領域（外字領域）に自由に外字を定義して使用できるようになっている。
【０００５】
印刷会社では、上記外字をまとめてある外字ファイル（外字データ）が全ての業務に共通に適用できれば管理は楽であるが、実際にはクライアントである携帯電話会社やクレジットカード会社が外字ファイルを所有して、業務毎に、或いはジョブ毎に外字ファイルが提供されたり、社内に外字の作成者が複数いて外字ファイルが複数存在したりする場合がほとんどである。このため、業務或いはジョブ毎に異なる外字ファイルを使用しなければならず、外字ファイルを間違って使用した場合には意図した文字と異なる文字が印刷されてしまうことになる。
【０００６】
一方、請求書を受け取る利用者の視点に立ったとき、受け取った請求書の内容を確認し、請求元に代金の振り込みを行うことで取引が完了する訳であるが、万が一住所や名前が間違って印刷されていたり、代替文字で印刷されていたりしたとき（例えば「渡邊」を「渡邉」と印刷されていた場合など）には、請求元に対して抗議をしたり、場合によっては本人と名前が違うという理由で代金の支払いを行わなかったりすることも考えられる。
【０００７】
こういった問題を回避するため、請求書の印刷を請け負う印刷業者においては、請求金額はもとより住所や名前などが正確に印字されているかを検査装置や人手でチェックをしていることがある。しかしながら、検査装置では印刷内容が正しいか否かまで全てチェックするには限界があり、また人手で全数チェックをするには時間とコストが掛かりすぎるため現実的ではなく、印刷データを出力している最中に印刷内容が正しいか否かをチェックして欲しいという声が多い。
【０００８】
外字ファイルが変更される原因としては、前述のように印刷データを作成するオペレータが外字ファイルを間違って使用してしまうという操作ミスもあるが、パーソナルコンピュータやワークステーションのオペレーティングシステムの仕様上、オペレータが気づかないうちに外字ファイルが変更される場合もあり得る。マイクロソフト社のＷｉｎｄｏｗｓ（登録商標）を例に挙げると、外字領域はフォント毎に管理されているため、例えば複数のアプリケーションソフトを起動させたとき、それらの中の一つが必ず特定の外字ファイルを使用するといった処理を行っていた場合、オペレータの自覚が無いまま外字ファイルが変更されることがある。
【０００９】
例えば、オペレータが帳票ソフトウエアAを用い、外字ファイルBを指定して帳票Cを作成し印刷装置で印刷していたとする。印刷中に、オペレータが別のジョブのためワープロソフトウエアDを立ち上げ、文書Eの編集を始めたとする。このときワープロソフトウエアD或いは文書Eが別の外字ファイルFを指定していたとすると、ワープロソフトウエアDを立ち上げた時点、或いは文書Eの編集を始めた時点で、外字ファイルが前記外字ファイルFに切り替わってしまう。その結果印刷中の帳票Cのある頁以降から意図しない誤った文字で印刷されてしまうということが起こりうる。
【００１０】
このような場合、オペレータが印刷後の全ての頁をチェックすれば異常な結果であるということが分かるが、最初の数ページのみチェックして問題なしと判断した場合、上記のような問題が起こり得るのである。なお、このような問題に類似する事例について例えば、特許文献１や特許文献２等にも記載がある。
【００１１】
【特許文献１】特開２００６−１７８６２２号公報
【特許文献２】特開平１０−２８９２２６号公報
【発明の開示】
【発明が解決しようとする課題】
【００１２】
そこで、本発明が解決しようとする課題は、外字を含む印刷データの作成、印刷を行う際に、使用している外字ファイルが正しいかどうかを監視し、外字ファイルが変更されたことを検出した場合にはオペレータに警告を発したり、外字ファイルの指定を変更前の指定に復帰させたり、印刷を停止したりする印刷方法を提供することにある。
【課題を解決するための手段】
【００１３】
上記課題を解決するために本発明の印刷方法は、外字データを指定し、該指定された外字データで定義された外字を含む印刷データをアプリケーションソフトウェアでもって作成し、該印刷データを印刷装置で印刷する印刷方法であって、前記印刷データの前記印刷装置による印刷中、所定のタイミングで前記外字データの指定の変更を監視し、変更が検出された場合に、前記印刷装置による印刷を停止することを特徴としている。
【００１４】
また、上記課題を解決するために本発明の印刷方法は、外字データを指定し、該指定された外字データで定義された外字を含む印刷データをアプリケーションソフトウェアでもって作成し、該印刷データを印刷装置で印刷する印刷方法であって、前記印刷データの作成中及び／又は前記印刷装置による印刷中、所定のタイミングで前記外字データの指定の変更を監視し、変更が検出された場合にオペレータに警告を発することを特徴としている。
【００１５】
更に、前記アプリケーションソフトウェアが外部データを読み込み可能なものであり、該読み込んだ外部データを用いて印刷データを作成可能なものであることを特徴としている。また、前記外字データが、前記アプリケーションソフトウェア毎に指定されるものであることを特徴としている。
【００１６】
更に、前記外字データが、前記外部データ毎に指定されるものであり、かつ、前記外部データの読み込みに応じ、自動的に、前記外字データが指定されることを特徴としている。また、前記外字データの指定の変更の監視が、ページ毎に行われることを特徴としている。更に、前記外字データ指定の変更の監視が、文字毎に行われることを特徴としている。
【発明の効果】
【００１７】
本発明によれば、印刷イメージの作成を行うアプリケーションソフトウエアで、プリンタへ印刷データを出力している最中に外字ファイルが切り替わっていないかどうかを監視しているため、他のアプリケーションソフトウエアが外字ファイルの切り替えを行った場合にオペレータに警告を発したり、外字ファイルを再設定したり、印刷を停止したりすることで、意図しない文字を印刷することを未然に防ぐことができる。
【発明を実施するための最良の形態】
【００１８】
以下、本発明の構成について添付の図面を参照しながら詳細に説明する。
【００１９】
図１は本発明の印刷方法を用いて印刷を行う際のアプリケーションソフトウエアからプリンタへのデータの流れを示すものである。プリンタ１１はプリンタエンジン１とコントローラ２から構成され、クライアントコンピュータ４にはアプリケーションソフトウエア４１が備わっている。ネットワーク３はインターネット、ローカルエリアネットワーク（ＬＡＮ）等の電子通信網であり、このネットワーク３に接続されたクライアントコンピュータ４上のアプリケーションソフトウエア４１から印刷起動された印刷データが、コントローラ２とプリンタエンジン１を用いて記録媒体に印刷される。
【００２０】
クライアントコンピュータ４には、プリンタ１１にて印刷を行うためにプリンタドライバ４３が用意されている。プリンタドライバ４３はアプリケーションソフトウエア４１で作成された印刷データをプリンタ用の制御言語データに変換する機能を持ったソフトウェアである。一方、コントローラ２にはスプーラ２１とプリンタコントローラ２４が用意されている。スプーラ２１はプリンタドライバ４３から出力された制御言語データを受信、保存（スプール）、処理、スケジューリング、配布などを行うダイナミックリンクライブラリ（ＤＬＬ）の集合であり、本実施例ではパーソナルコンピュータのオペレーティングシステム（ＯＳ）の一部として提供されている機能をそのまま利用している。
【００２１】
プリンタコントローラ２４はスプーラ２１から制御言語データを受信し、プリンタエンジン用のビデオデータや動作コマンドに変換してプリンタエンジン１に送信する機能を持つソフトウェアである。プリンタコントローラ２４がプリンタエンジン１の動作コマンドを送信することにより、プリンタエンジン１の動作をコントロールする。プリンタエンジン１はプリンタコントローラ２４から送信されるビデオデータを元に記録媒体に印刷する機能を持つ印刷装置である。
【００２２】
図２は本発明の印刷方法におけるアプリケーションソフトウエア４１の印刷の流れを示すものである。図２に示すように、クライアントコンピュータ４のアプリケーションソフトウエア４１で作成された印刷データを印刷起動すると、その印刷データは一度オペレーティングシステム４２に格納され、その後オペレーティングシステム４２がプリンタドライバ４３に印刷データを送信する。
【００２３】
プリンタドライバ４３は、印刷データをオペレーティングシステム４２から受信し、プリンタ用の制御言語データに変換して、任意のポートに制御言語データを転送する。制御言語データとしては、例えばＰｏｓｔＳｃｒｉｐｔ（登録商標）などが使用可能である。この制御言語データが転送されるポートとしてはプリンタポートが一般的であるが、ネットワークに接続されたプリンタサーバーや、ネットワークに接続されているハードディスクなどの任意のデバイスへの転送も可能である。ここでは、ネットワーク３に接続されたコントローラ２のスプーラ２１へ転送した場合について説明する。
【００２４】
スプーラ２１は、プリンタドライバ４３で作成された制御言語データを受信し、受信した制御言語データを一時保存やスケジューリング、任意のデバイスへの再配布などの機能を有している。本実施例では、プリンタコントローラ２４が必要に応じてスプーラ２１が保存している制御言語データをリードする構造になっていて、プリンタコントローラ２４はスプーラ２１からリードした制御言語データを解析し、プリンタエンジン１用のビデオデータに変換する。ビデオデータへの変換が完了すると、プリンタコントローラ２４は、プリンタエンジン１に対してビデオデータと印刷命令を送信することにより、プリンタエンジン１で印刷が開始される。
【００２５】
図３は本発明の印刷方法におけるアプリケーションソフトウエア４１の外字ファイル設定画面を示す概略図である。外字ファイル設定画面には、外字ファイルの選択部５１とエラー時の処理の選択部５５およびチェック頻度の選択部５７から構成されている。外字ファイルの選択部５１では、外字ファイルとしてどのファイルを使用するかを設定する。外字ファイルを使用しない場合は「標準設定にする」を指定すればよいし、使用する外字ファイルが決まっている場合は、「外字ファイルを選択する」を指定すればよい。「外字ファイルを選択する」を指定した場合は、エディットボックスに外字ファイルのパスを入力するか、または参照ボタンを押下することによりオペレーティングシステム４２が提供するファイル選択ダイアログ等を開いてファイルを選択する。
【００２６】
また、図示はしないが指定のディレクトリにある外字ファイルを検索して一覧表示し、操作者がその中から指定する方式で外字ファイルのパスを指定する方法でも構わない。更に、一般的にオペレーティングシステム４２では外字ファイルを全てのフォントで使用するか、または特定のフォントでのみ使用するかを指定できるようになっているが、これらの指定もできるようにしておけばより詳細な設定が可能となる。尚、外字ファイルをフォントで使用するには、オペレーティングシステム４２に対して通知処理を行わなければならず、この処理のことをリンクという。
【００２７】
エラー時の処理の選択部５５では、アプリケーションソフトウエア４１において印刷処理を行っている最中に外字ファイルが切り替わったことを検出した際にどのような挙動をするかを設定するものである。仮に「メッセージを出して停止」を選択していた場合は、外字ファイルが切り替わったことを検出したときにディスプレイ上にエラーメッセージを表示したり、スピーカーからエラー音を発したりしてオペレータに外字ファイルが切り替わったことを通知する。また、「外字設定を行って継続」を選択していた場合は、オペレータへの通知は行わずに外字ファイル設定を再度行ってから印刷処理を継続する。
【００２８】
チェック頻度の選択部５７にはチェック頻度選択リスト５８があり、アプリケーションソフトウエア４１にて印刷処理を行っているときに、リンクされている外字ファイルが指定のファイルかどうかを監視する頻度を指定できるようになっている。外字ファイル設定画面には、ＯＫボタン５９とキャンセルボタン６０が配置してある。ＯＫボタン５９を押すことで設定値を保存し、外字ファイル設定画面を閉じる。また、キャンセルボタン６０を押した場合は、設定値を保存せずに外字ファイル設定画面を閉じる。上記外字ファイル設定画面で指定した各種設定がどのように機能するかは図７および図８を用いて後ほど詳細に説明する。
【００２９】
外字ファイル設定画面で指定した各種設定値はアプリケーションソフトウエア４１で保存できるようにすることが望ましい。請求書の印刷を例に挙げると、住所や宛先などの変動データはそれらを発送する機会毎に異なる訳であるが、帳票のレイアウトおよび外字ファイルは同じものを利用することが多い。これは、レイアウト情報の中に変動データファイルパスと外字ファイルパスを保存しておくことで、毎回設定する手間が省けるとともに、印刷を実行するオペレータの操作ミスによって別の外字ファイルをリンクして印刷するという問題を回避することができるためである。また、故意にオペレータが外字ファイルの設定を変更してしまわないように、外字ファイル設定はレイアウト設計者のみが行えるようにパスワード等で保護することが望ましい。
【００３０】
図４は本発明の印刷方法におけるアプリケーションソフトウエア４１のレイアウト操作画面である。レイアウト操作画面では、シートまたはページ領域を表示するための表示部６１を有し、必要なオブジェクトを配置することでレイアウトを行う。オブジェクトとは、長方形や楕円形、線分などの単純な図形オブジェクトやテキスト・バーコード・二次元コードなどのデータオブジェクト、更にビットマップなどのイメージオブジェクトからなり、それぞれのオブジェクト毎にフォントの種類やバーコードの種類、サイズなどの様々なパラメータを入力することでオブジェクトを生成する。
【００３１】
データオブジェクトとしては、あらかじめ内容が固定された固定データ型や、プリンタに出力する際にその都度外部ファイルからデータを取得する外部データ型、連続する数値を出力する連番データ型などがある。イメージオブジェクトに関しても、データオブジェクトと同じく固定データ型や外部データ型があり、同じデータを何度も繰り返して出力するのにも、変動するデータを出力するにも、どちらにでも対応できる構成になっている。
【００３２】
図５は本発明の印刷方法においてアプリケーションソフトウエア４１が外字ファイルをどのようにして使用するかを説明するための一般的なオペレーティングシステムでの外字ファイルのリンク方法を示すブロック図である。まず、オペレーティングシステム４２の関連する機能について簡単に触れておく。オペレーティングシステム４２はグラフィックインターフェース７１およびレジストリ７２を擁している。グラフィックインターフェース７１とは、例えばＷｉｎｄｏｗｓ（登録商標）ではＧＤＩ（Ｇｒａｐｈｉｃ  Ｄｅｖｉｃｅ  Ｉｎｔｅｒｆａｃｅ）と呼ばれており、ディスプレイやプリンタなどの描画デバイスに対する画像処理を司っている。グラフィックインターフェース７１があることで、各社が販売しているディスプレイ７４やプリンタ１１に対応するデバイスドライバ７３を通すことでデバイス依存性の無い画像処理を行うことができる。
【００３３】
尚、図１等で使用しているプリンタドライバ４３はプリンタ専用のデバイスドライバであり特段区別するものではない。また、レジストリ７２とは、オペレーティングシステム４２やアプリケーションソフトウエア４１に必要な各種情報を保存しているファイルであり、外字ファイルの情報もレジストリ７２に保存してある。上述した通り外字ファイルはフォント毎にリンクさせることはできるが、アプリケーションソフトウエア４１毎にリンクさせることはできない場合が殆どであり、アプリケーションソフトウエア４１は共通のリソースを取り合っていることになる。このため、あるアプリケーションソフトウエアＡが外字ファイルのリンクをした後に、別のアプリケーションソフトウエアＢが別の外字ファイルのリンクを行うと、アプリケーションソフトウエアＡで外字を表示や印刷しようとしても意図した文字が表示または印刷されないことになる。
【実施例】
【００３４】
次に、例としてオペレーティングシステム４２にＷｉｎｄｏｗｓ（登録商標）を用いた場合に、アプリケーションソフトウエア４１がどのようにして外字ファイルをリンクさせるか図６を参照しながら説明する。まず、アプリケーションソフトウエア４１は、オペレーティングシステム４２のグラフィックインターフェース７１に対して現在リンクされている外字ファイルを解除するように通知する（Ｓ１０１）。続いてレジストリ７２にリンクする外字ファイルのパスを書き込む（Ｓ１０２）。最後にグラフィックインターフェース７１に対して現在の外字ファイルを接続するよう通知する（Ｓ１０３）。このようにして外字ファイルをオペレーティングシステム４２の共通リソースとして登録するのである。
【００３５】
図７は本発明の印刷方法におけるアプリケーションソフトウエア４１にて外字ファイルのリンクをチェックする処理を示したフローチャートである。順に流れを説明すると、まず外字ファイルを使用する設定になっているかの判断を行い、外字ファイルを使用しない設定（図３の外字ファイルの選択５１で「標準設定にする」が選択されている場合）になっていれば直ちに処理を終了する。一方、外字ファイルを使用する設定（Ｓ１１１）になっていればステップＳ１１２に移行する。次に外字リンクのチェックを行うか否かの判断を行い、外字リンクのチェックを行わない（図３のチェック頻度の選択リスト５８でチェックしないが選択されている）場合は直ちに処理を終了するが、チェックを行う設定の場合（Ｓ１１２）はステップＳ１１３に移行する。
【００３６】
続いてオペレーティングシステム４２のレジストリ７２に設定してある外字ファイルの設定を参照し、アプリケーションソフトウエア４１で使用するべき外字ファイルのパスが設定されているか否かを判断する。使用するべき外字ファイルのパスが正しく設定されていれば外字ファイルの変更は無かったものとして処理を終了すればよいが、他のアプリケーションソフトウエアで外字ファイルの設定が変更された場合（Ｓ１１３）にはその瞬間に正しい印刷結果が得られないものとしてエラーと判断する必要がある。エラーと判断した場合にはステップＳ１１４に移行する。
【００３７】
次にエラー発生時にどういった挙動をするかの判断であるが、仮に図３に示されている外字ファイル設定画面において、エラー時の処理の選択５５（Ｓ１１４）で「メッセージを出して停止」が選択されていた場合には、ステップＳ１１５に移行すればよいし、「外字設定を行って継続」が選択されていた場合には、ステップＳ１１７に移行する。
【００３８】
具体的には、エラーが発生した場合（Ｓ１１５）、メッセージボックスやビープ音などの視聴覚効果によりオペレータの注意を引いてエラーを通知しなければならない。また速やかに印刷停止の処理を行い一連の処理を終了する（Ｓ１１６）。一方、エラーが発生したが、「外字設定を行って継続」が選択されていた場合には図６で説明済みの外字ファイルリンク処理を行い、印刷を継続する（Ｓ１１７）。このようにして外字リンクチェック処理を行うのである。
【００３９】
図８は本発明の印刷方法におけるアプリケーションソフトウエア４１にて外字を印刷する際の流れを示したフローチャートである。順に流れを説明すると、まず印刷の開始時に図６で説明した外字ファイルリンク処理を行う（Ｓ１２１）。次にページごとにチェックを行うか否かの判断を行い、チェックを行う設定になっている（図３のチェック頻度の選択リスト５８でページ毎に実施またはオブジェクト毎に実施が選択されている）場合はステップＳ１２３に移行するが、それ以外はステップＳ１２４に移行する（Ｓ１２２）。ステップＳ１２３においては図７の外字リンクチェック処理を実行する。
【００４０】
続いてステップＳ１２４とＳ１２５であるが、これもＳ１２２およびＳ１２３とほぼ同様の手順で、オブジェクト毎にチェックを行う設定であればステップＳ１２５に移行するが、それ以外はステップＳ１２６に移行する。ステップＳ１２６ではオブジェクト則ち上述した長方形や楕円形、線分などの単純な図形やテキスト・バーコード・二次元コードなどの印刷を行う。その後ステップＳ１２７においてページ内の全てのオブジェクトが印刷されたかどうかの判断を行い、全てのオブジェクトが印刷済みであると判断された場合には、次のページの印刷を行うためステップＳ１２８に移行する。一方、全てのオブジェクトが印刷されている訳で無ければステップＳ１２４に戻りステップＳ１２４からＳ１２６を繰り返し実行する。
【００４１】
ページ内の全オブジェクトが印刷された後には、引き続きアプリケーションソフトウエア４１で印刷すべきページが全て印刷されたかどうかの判断を行う。まだ印刷を行っていないページが存在すればステップＳ１２２に戻りステップＳ１２２からＳ１２７の処理を繰り返し実行する。全てのページの印刷が完了していればアプリケーションソフトウエア４１の印刷処理を終了する。このようにして印刷中の外字リンクのチェックを行い、意図した通りの文字が正しく印刷されることを保証するのである。尚、図３のチェック頻度の選択リスト５８および図８のステップＳ１２４ではオブジェクト毎に外字リンクチェックを行うこととしてあるが、更に厳密にチェックを行う場合には文章の行毎または一文字毎にチェックを行っても良い。
【図面の簡単な説明】
【００４２】
【図１】本発明の印刷方法を用いて印刷を行う際のアプリケーションソフトウエアからプリンタへのデータの流れを示すブロック図である。
【図２】本発明の印刷方法におけるアプリケーションソフトウエアの印刷の流れを示すブロック図である。
【図３】本発明の印刷方法におけるアプリケーションソフトウエアの外字ファイル設定画面の一例を示す図である。
【図４】本発明の印刷方法におけるアプリケーションソフトウエアのレイアウト操作画面の一例を示す図である。
【図５】本発明の印刷方法におけるオペレーティングシステムでの外字ファイルのリンク方法の一例を示すブロック図である。
【図６】本発明の印刷方法におけるオペレーティングシステムでの外字ファイルのリンク方法の一例を示すフローチャートである。
【図７】本発明の印刷方法におけるアプリケーションソフトウエアにて外字ファイルのリンクをチェックする処理を示したフローチャートである。
【図８】本発明の印刷方法におけるアプリケーションソフトウエアにて外字を印刷する際の流れを示したフローチャートである。
【符号の説明】
【００４３】
１  プリンタエンジン
２  コントローラ
３  ネットワーク
４  クライアントコンピュータ
１１  プリンタ
２１  スプーラ
２４  プリンタコントローラ
４１  アプリケーションソフトウエア
４２  オペレーティングシステム
４３  プリンタドライバ
５１  外字ファイルの選択部
５５  エラー時の処理の選択部
５７  チェック頻度の選択部
５８  チェック頻度の選択リスト
５９  ＯＫボタン
６０  キャンセルボタン
６１  シートまたはページの表示部
７１  グラフィックインターフェース
７２  レジストリ
７３  デバイスドライバ
７５  ディスプレイ
【図１】
2009245093.tif 000003
【図２】
2009245093.tif 000004
【図３】
2009245093.tif 000005
【図４】
2009245093.tif 000006
【図５】
2009245093.tif 000007
【図６】
2009245093.tif 000008
【図７】
2009245093.tif 000009
【図８】
2009245093.tif 000010